(57)【要約】【課題】扉体の開閉に伴って常に一定の動きを保証しつつ固定枠体と扉体との隙間への手や指の進入を防止できるようにする。【解決手段】扉体２が最大に開成されている状態のときに、固定枠体１との間に生ずる隙間Ｇ１に手や指がアクセスされて来た場合、薄板４は、図２（Ａ）のように、蝶番３を取り囲む空間Ｓを形成して隙間Ｇ１を塞ぐ連鎖を形成しており、隙間Ｇ１に手や指がアクセスされて来ても、薄板４の連鎖によりブロックされて当該隙間Ｇ１への進入は阻止される。また、図２（Ａ）の状態から扉体２が閉成方向に回転して図２（Ｂ），（Ｃ）の状態になったとき、或いは、扉体２が閉成方向に回転しているときに手や指がアクセスされて来て図２（Ｂ），（Ｃ）の状態になったとき、同図に示すように、薄板４は、上記空間Ｓを縮小する連鎖を形成するが、隙間Ｇ１を塞いだ状態を保持しているので当該隙間Ｇ１への手や指の進入を防止できる。【選択図】図２
2012021344.tif 000002
【特許請求の範囲】
【請求項１】
固定枠体とこの固定枠体に蝶番を介して回転自在に取り付けられる扉体との間の前記蝶番側に生ずる隙間を薄板で塞いで、前記扉体を開閉するときの指詰めを防止できる指詰め防止構造であって、
複数の折曲部で折りたたみ可能に、且つ、平面視略リンクの連鎖をなすように成形された前記薄板は、前記扉体が最大に開成されたときに、前記固定枠体に固着される第１薄板と、この第１薄板及び前記扉体に固着された第２薄板に折曲自在に結合される第３薄板と、この第３薄板が前記第２薄板と折曲自在に結合された近傍でこれら第３薄板又は第２薄板に折曲自在に結合される第４薄板と、この第４薄板に折曲自在に結合される第５薄板と、この第５薄板及び前記第１薄板に折曲自在に結合される第６薄板とで前記蝶番を取り囲む空間を形成して前記隙間を塞ぐ前記連鎖を形成する一方、前記扉体の閉成動作に伴って前記隙間を塞いだ状態を保持しつつ前記空間を縮小する前記連鎖を形成し、前記扉体が閉成されたとき前記固定枠体と扉体との間に折りたたまれてなることを特徴とする指詰め防止構造。
【請求項２】
前記第５薄板の略中央を切断して当該第５薄板をそれぞれ第７，８薄板に分け、この第７，８薄板の間に設けられた第９薄板の一方端寄りのところの、当該第９薄板の一方面側に前記第７薄板を折曲自在に結合し、また、当該第９薄板の他方面側で、且つ、前記第７薄板が折曲自在に結合された近傍に前記第８薄板を折曲自在に結合してなり、
前記第９薄板は、前記隙間に向かってアクセスされた手や指を前記扉体の閉成方向への回転に連れて前記隙間から遠ざけるように動作し、前記扉体が閉成されたとき前記第７，８薄板及び前記第６薄板とともに前記固定枠体と扉体との間に折りたたまれてなることを特徴とする請求項１に記載の指詰め防止構造。
【請求項３】
前記固定枠体に戸当りが設けられている場合には、前記第６薄板の適宜位置を折曲自在にして当該第６薄板を第１０，１１薄板に分け、
前記第１０薄板は、前記隙間に向かってアクセスされた手や指が当該隙間から遠ざけるべく引かれて前記第５薄板及び／又はこの第５薄板と当該第１０薄板との結合部と接触したときに前記第１１薄板に対して前記接触によって加えられた荷重方向に折曲され、前記扉体が閉成されたとき前記第１１薄板及び前記第５薄板とともに前記戸当りと扉体との間に折りたたまれてなることを特徴とする請求項１に記載の指詰め防止構造。
【発明の詳細な説明】
【技術分野】
【０００１】
本発明は、扉体を開閉するときに、固定枠体との間の蝶番側に生ずる隙間に対し手や指の進入を防止するための指詰め防止構造に関するものである。
【背景技術】
【０００２】
扉体は固定枠体に蝶番を介して取り付けられるが、この扉体と固定枠体との間には不可避的に隙間が生ずる。そのため、扉体の開閉に際してこの隙間に手や指が進入する場合がある。そこで、これを防止するために従来から種々の方策が採られている（例えば、特許文献１）。
特許文献１に開示のものは、図７に示されているようなドア１０１のドアヒンジ部１０２に設けられた指はさみ防止カバー１００で、室内側の薄板１００ａと室外側の薄板１００ｂで構成され、これら薄板１００ａや薄板１００ｂがドア内端面１０３及びドア支持部面１０４に超薄シート材を介して接着されている。
【０００３】
しかしながら、特許文献１に開示のものは、単に上記隙間が形成されるところの室内側には薄板１００ａを、また、室外側には薄板１００ｂをドアヒンジ部１０２を囲むように別々に設けているに過ぎず、したがって、ドア１０１の開閉に伴う薄板１００ａや薄板１００ｂの動きを特定できない、換言すれば、ドア１０１の開閉に伴って常に一定の動きをしない場合が生じてしまう問題がある。例えば、薄板１００ｂの場合では、ドア１０１が開いた状態のときに図７（Ａ）のように展開されているものが、ドア１０１が閉じた状態のときに図８（Ｂ）のようにドア１０１に接して折りたたまれるようになる保証はないという問題がある。
【特許文献１】特開２００３−２６２０７０（第１，２頁、図１〜５）
【発明の開示】
【発明が解決しようとする課題】
【０００４】
解決しようとする問題点は、指詰め防止構造を、複数の折曲部で折りたたみ可能な連鎖をなす薄板を用いる構造とし、扉体の開閉に伴って常に一定の動きが保証され、且つ、外観上の見栄えも損なわれることなく固定枠体と扉体との隙間への手や指の進入を防止できるものとする点である。
【課題を解決するための手段】
【０００５】
本発明の請求項１に係る指詰め防止構造は、固定枠体とこの固定枠体に蝶番を介して回転自在に取り付けられる扉体との間の前記蝶番側に生ずる隙間を薄板で塞いで、前記扉体を開閉するときの指詰めを防止できる指詰め防止構造であって、複数の折曲部で折りたたみ可能に、且つ、平面視略リンクの連鎖をなすように成形された前記薄板は、前記扉体が最大に開成されたときに、前記固定枠体に固着される第１薄板と、この第１薄板及び前記扉体に固着された第２薄板に折曲自在に結合される第３薄板と、この第３薄板が前記第２薄板と折曲自在に結合された近傍でこれら第３薄板又は第２薄板に折曲自在に結合される第４薄板と、この第４薄板に折曲自在に結合される第５薄板と、この第５薄板及び前記第１薄板に折曲自在に結合される第６薄板とで前記蝶番を取り囲む空間を形成して前記隙間を塞ぐ前記連鎖を形成する一方、前記扉体の閉成動作に伴って前記隙間を塞いだ状態を保持しつつ前記空間を縮小する前記連鎖を形成し、前記扉体が閉成されたとき前記固定枠体と扉体との間に折りたたまれるようにしたもので、複数の折曲部で折りたたみ可能な連鎖をなす薄板は、扉体が最大に開成されたときに蝶番を取り囲む空間を形成してこの空間内への進入を不能にすることによって上記隙間を塞ぐ連鎖を形成し、そして、扉体の閉成動作に伴って上記隙間を塞いだ状態を保持しつつ上記空間を縮小する方向に連鎖を形成し、更に、扉体が閉成されたとき固定枠体と扉体との間に折りたたまれるようにすることにより、ドアの開閉に伴って常に一定の動きを保証し、且つ、外観上の見栄えも損なわれることなく、固定枠体と扉体との隙間への手や指の進入を防止できるようにしたものである。
【０００６】
本発明の請求項２に係る指詰め防止構造は、前記第５薄板の略中央を切断して当該第５薄板をそれぞれ第７，８薄板に分け、この第７，８薄板の間に設けられた第９薄板の一方端寄りのところの、当該第９薄板の一方面側に前記第７薄板を折曲自在に結合し、また、当該第９薄板の他方面側で、且つ、前記第７薄板が折曲自在に結合された近傍に前記第８薄板を折曲自在に結合してなり、前記第９薄板は、前記隙間に向かってアクセスされた手や指を前記扉体の閉成方向への回転に連れて前記隙間から遠ざけるように動作し、前記扉体が閉成されたとき前記第７，８薄板及び前記第６薄板とともに前記固定枠体と扉体との間に折りたたまれるようにしたもので、上記隙間に向かってアクセスされた手や指を扉体の閉成方向への回転に連れて上記隙間から遠ざけるように動作する機能を付加することにより、上記隙間への手や指の進入を防止する防止効果を高めたものである。
【０００７】
本発明の請求項３に係る指詰め防止構造は、前記固定枠体に戸当りが設けられている場合には、前記第６薄板の適宜位置を折曲自在にして当該第６薄板を第１０，１１薄板に分け、前記第１０薄板は、前記隙間に向かってアクセスされた手や指が当該隙間から遠ざけるべく引かれて前記第５薄板及び／又はこの第５薄板と当該第１０薄板との結合部と接触したときに前記第１１薄板に対して前記接触によって加えられた荷重方向に折曲され、前記扉体が閉成されたとき前記第１１薄板及び前記第５薄板とともに前記戸当りと扉体との間に折りたたまれようにしたもので、上記隙間に向かってアクセスされた手や指が当該隙間から遠ざけるべく引かれたとき戸当りに直接接触しないようにして接触による衝撃を和らげるようにしたものである。
【発明の効果】
【０００８】
本発明の指詰め防止構造は、複数の折曲部で折りたたみ可能な連鎖をなす薄板を用いる構造により、扉体の開閉に伴って常に一定の動きを保証し、且つ、外観上の見栄えも損なわれることなく固定枠体と扉体との隙間への手や指の進入を防止できるようにした点で優れている。
【発明を実施するための最良の形態】
【０００９】
本発明の第１の実施の形態に係る指詰め防止構造について、図１〜３を参照して説明する。
本指詰め防止構造は、図１に示すように、固定枠体１とこの固定枠体１に対し一対の蝶番３（図１では、そのうちの一つのみが描かれている）を介して回転自在に取り付けられる扉体２との間の当該蝶番３側に生ずる隙間Ｇ１，Ｇ２（Ｇ１は室内側に生じている隙間で当該隙間の範囲を示すとともに、Ｇ２は室外側に生じている隙間で当該隙間の範囲を示す（図２，３参照））に対し、複数の折曲部で折りたたみ可能に、且つ、平面視略リンクの連鎖をなすように成形された薄板４を設けることによって当該隙間Ｇ１，Ｇ２への手や指の進入を防止して、扉体２を開閉するときに指詰めが生じないようにするものである。
尚、符号１ａは、固定枠体１の所定部位に垂設された戸当たりである。また、矢印Ａは、扉体２の閉成方向を示し、矢印Ｂは、扉体２の開成方向を示している。
本指詰め防止構造における薄板４は、上述のように、複数の折曲部で折りたたみ可能に、且つ、平面視略リンクの連鎖をなすように成形されたもので、合成樹脂（例えばポリプロピレンなど）で製作されていて比較的剛性に富む一方、比較的に薄厚の上記折曲部においては折曲自在性を有する特性を備えている。
【００１０】
このような薄板４の構成について、図２，３をも参照して説明する。
薄板４は、固定枠体１に固着される第１薄板４ａと、扉体２の内側面２ａに固着される第２薄板４ｂと、第１薄板４ａと結合部５ａを介して、また、第２薄板４ｂと結合部５ｂを介してそれぞれ折曲自在に結合される第３薄板４ｃと、上記結合部５ｂの近傍で、本実施の形態では第２薄板４ｂと結合部５ｃを介して折曲自在に結合される第４薄板４ｄと、この第４薄板４ｄと結合部５ｄを介して折曲自在に結合される第５薄板４ｅと、更に、この第５薄板４ｅと結合部５ｅを介して折曲自在に結合される第１０薄板４ｆと、この第１０薄板４ｆと結合部５ｆを介して折曲自在に結合される第１１薄板４ｇとで構成され、これら第１薄板４ａ〜第５薄板４ｅ、並びに第１０薄板４ｆ及び第１１薄板４ｇは、いずれも同一厚さの矩形状部材で、その長尺方向（図１の矢印Ｃ１，Ｃ２で示す方向）には同一の長さで設定されているが、その短尺方向（これら薄板の幅方向）には所定幅長になるように設定されている。
【００１１】
ところで、本実施の形態では、第１１薄板４ｇは、戸当たり１ａに近接して、第１薄板４ａに対し垂直に、且つ、固定された状態で結合され、したがって、折曲自在に結合されていない。また、上記結合部５ｆは、戸当たり１ａの突出高さと略同一となるような位置に設けられている。また、第５薄板４ｅと第１０薄板４ｆとが比較的大きな略Ｃリング状をなす結合部５ｅを介して結合されているが（図２（Ｃ）参照）、これは、後述する手や指への接触時にこの手や指に損傷を与えないように配慮しているためである。尚、第３薄板４ｃ及び第４薄板４ｄは、図１〜３からも分かるように、蝶番３との干渉防止のため、蝶番３と干渉する部位には切欠き部（図示せず）が設けられている。
【００１２】
このような構成に係る薄板４による、本実施の形態では室内側から隙間Ｇ１に手や指がアクセスされて来たときの指詰め防止動作を、図２，３を参照して説明する。尚、ここでの動作説明は、扉体２の開成から閉成に至る場合の動作であるが、この逆もこれに準ずるので説明は割愛する。また、室外側から隙間Ｇ２に手や指がアクセスされて来たときの指詰め防止動作も、隙間Ｇ１にアクセスされて来たときに準ずるので説明は割愛する。
扉体２が最大に開成されている状態のときに、固定枠体１との間に生ずる隙間Ｇ１に手や指がアクセスされて来た場合、このときの本指詰め防止構造では、薄板４は、図２（Ａ）に示すように、蝶番３を取り囲む空間Ｓを形成して隙間Ｇ１を塞ぐ連鎖（但し、第２薄板４ｂは除く）を形成している。したがって、隙間Ｇ１に手や指がアクセスされて来ても、薄板４の連鎖によりブロックされて当該隙間Ｇ１への進入が阻止される。
また、図２（Ａ）の状態から扉体２が閉成方向に回転して図２（Ｂ）や図２（Ｃ）の状態になったとき、或いは、扉体２が閉成方向に回転しているときに手や指がアクセスされて来て図２（Ｂ）や図２（Ｃ）の状態になったとき、同図に示すように、薄板４は、上記空間Ｓを縮小する連鎖を形成するが、隙間Ｇ１を塞いだ状態を保持しているので当該隙間Ｇ１への進入は阻止される。尚、扉体２が閉成方向に、例えば図２（Ｃ）の状態になるぐらいまで回転すると、第１０薄板４ｆ（及び第５薄板４ｅ）により上記アクセスがブロックされるので、上記隙間Ｇ１への進入事態が起こり得なくなる。
更に、扉体２が図２（Ｃ）の状態から閉成方向に回転して図３（Ａ）の状態になったときに扉体２の閉成に気がついて、アクセスした手や指を隙間Ｇ１から遠ざけるべく引いたとき、たとえ手や指が第５薄板４ｅ、及び／又は結合部５ｅに接触しても、本実施の形態では、図３（Ａ）のように、この第５薄板４ｅとともに第１０薄板４ｆが、第１１薄板４ｇに対して結合部５ｆで当該接触により加えられた荷重方向に折曲する。このため、手や指が戸当り１ａに直接接触することはなく、第５薄板４ｅ、及び／又は結合部５ｅを介して間接的に接触するようになるので、かかる接触による衝撃が和らげられる。
【００１３】
そして、アクセスした手や指を第５薄板４ｅ、及び／又は結合部５ｅと接触しないところまで引いて図３（Ｂ）の状態になると、薄板４は、同図に示すように、上記隙間Ｇ１を塞いだ状態を保持しつつ上記空間Ｓを更に縮小する連鎖を形成している。その後、扉体２が閉成されたときには、薄板４は、図３（Ｃ）のようにして固定枠体１と扉体２との間に確実に折りたたまれて収納される状態となり、したがって、外観上の見栄えも損なわれることはない。このように、本指詰め防止構造において、薄板４は、扉体２の開閉に伴って、隙間Ｇ１を塞いだ状態を保持しつつ常に一定の動きが保証される連鎖を形成することにより指詰め防止を図っている。
【００１４】
次に、本発明の第２の実施の形態に係る指詰め防止構造について、図４〜６を参照して説明する。但し、図４〜６中、図１〜３中の構成要素と同一のものについては、同一番号を付し、その説明は割愛する。尚、図４では、蝶番３が省略されている。また、図５（Ａ），（Ｂ）では、隙間Ｇ１にアクセスしている手や指が省略されている。
本指詰め防止構造の薄板２０が上記第１の実施の形態に係る指詰め防止構造の薄板４と異なるところは、第５薄板４ｅに代えて、この第５薄板４ｅの略中央を切断して当該第５薄板４ｅをそれぞれ第７薄板２０ａ、第８薄板２０ｂに分け、これら第７薄板２０ａ、第８薄板２０ｂの間に設けられた第９薄板２０ｃの一方端２０ｃ１寄りのところの、当該第９薄板２０ｃの一方面側に第７薄板２０ａと結合部２１ａを介して折曲自在に結合し、また、当該第９薄板２０ｃの他方面側で、且つ、上記結合部２１ａの近傍に第８薄板２０ｂと結合部２１ｂを介して折曲自在に結合されてなる点である。尚、本実施の形態に係る薄板２０においては、上述の第１０薄板４ｆと第１１薄板４ｇとが一体成形された第６薄板２０ｄで構成されているが、第１０薄板４ｆ及び第１１薄板４ｇで構成してもよい。ところで、第１薄板４ａと第６薄板２０ｄとは、結合部２１ｃを介して折曲自在に結合されている。
【００１５】
このような構成に係る薄板２０による、本実施の形態では室内側から隙間Ｇ１に手や指がアクセスされて来たときの指詰め防止動作を、図５，６を参照して説明する。尚、ここでの動作説明は、扉体２の開成から閉成に至る場合の動作であるが、この逆もこれに準ずるので説明は割愛する。また、室外側から隙間Ｇ２に手や指がアクセスされて来たときの指詰め防止動作も、隙間Ｇ１にアクセスされて来たときに準ずるので説明は割愛する。
本薄板２０の指詰め防止動作は、基本的には薄板４の上記動作と同じであり、扉体２が最大に開成されている状態のときに、固定枠体１との間に生ずる隙間Ｇ１に手や指がアクセスされて来た場合、本指詰め防止構造においても、本薄板２０が、図５（Ａ）に示すように、蝶番３を取り囲む空間Ｓを形成して隙間Ｇ１を塞ぐ連鎖（但し、第２薄板４ｂは除く）を形成し、したがって、隙間Ｇ１に手や指がアクセスされて来ても、薄板２０の連鎖によりブロックされて当該隙間Ｇ１への進入が阻止される。また、図５（Ａ）の状態から扉体２が閉成方向に回転して図５（Ｂ）や図５（Ｃ）の状態になったとき、或いは、扉体２が閉成方向に回転しているときに手や指がアクセスされて来て図５（Ｂ）や図５（Ｃ）の状態になったとき、同図に示すように、薄板２０においても、上記空間Ｓを縮小する連鎖を形成するが、隙間Ｇ１を塞いだ状態を保持しているので当該隙間Ｇ１への進入は阻止される。尚、扉体２が閉成方向に、例えば図５（Ｃ）の状態になるぐらいまで回転すると、後に詳述する第９薄板２０ｃにより上記アクセスがブロックされるので、上記隙間Ｇ１への進入事態が起こり得なくなる。
【００１６】
しかるに、本指詰め防止構造においては、隙間Ｇ１に向かってアクセスされた手や指を扉体２の閉成方向への回転に連れて当該隙間Ｇ１から遠ざけるように動作する機能が付加されている。具体的には、薄板２０が扉体２の閉成方向への回転に伴って上記空間Ｓを縮小する連鎖を形成して行くと、これに連れて第９薄板２０ｃは、図５（Ｃ）のように、その一方端２０ｃ１が第６薄板２０ｄに当接してから当該第６薄板２０ｄに沿って同図中の上方に移動する一方、その他方端２０ｃ２側が同図中の矢印方向に回転して行くようになっている。このため、隙間Ｇ１に向かってアクセスされた手や指が図５（Ｃ）のような状態にあるときには、扉体２の閉成方向への回転に伴って第９薄板２０ｃが、図５（Ｃ）及び図６（Ａ）、（Ｂ）で示すように、アクセスされた手や指を隙間Ｇ１から遠ざけるように作用する。換言すれば、第９薄板２０ｃが、薄板２０で形成される連鎖によって隙間Ｇ１に近づいた手や指を排除するように作用する。
【００１７】
その後、扉体２が閉成されたときには、薄板２０は、図６（Ｃ）のようにして固定枠体１と扉体２との間に確実に折りたたまれて収納される状態となり、したがって、外観上の見栄えも損なわれることはない。このように、本指詰め防止構造において、薄板２０は、扉体２の開閉に伴って、隙間Ｇ１を塞いだ状態を保持しつつ常に一定の動きが保証される連鎖を形成することにより指詰め防止を図っている。
ところで、薄板２０において、その第９薄板２０ｃの略中央に段差部が設けられているが、これは、図６（Ｃ）からも分かるように、収納時の適宜な折りたたみを考慮したものであり、また、第６薄板２０ｄの略中央にも比較的大きめの段差部が設けられているが、これは、収納時の折りたたみや戸当たり１ａとの干渉を考慮したためのものである。
【産業上の利用可能性】
【００１８】
本発明の指詰め防止構造は、複数の折曲部で折りたたみ可能な連鎖をなす薄板を用いる構造をなし、扉体の開閉に伴って常に一定の動きを保証し、且つ、外観上の見栄えも損なわれることなく固定枠体と扉体との隙間への手や指の進入を防止できる点で、広く一般的に利用されるものと言える。
【図面の簡単な説明】
【００１９】
【図１】本発明の第１の実施の形態に係る指詰め防止構造の斜視構成図である。
【図２】図１の指詰め防止構造に係る薄板の動作説明図である。
【図３】図１の指詰め防止構造に係る薄板の動作説明図である。
【図４】本発明の第２の実施の形態に係る指詰め防止構造の斜視構成図である。
【図５】図４の指詰め防止構造に係る薄板の動作説明図である。
【図６】図４の指詰め防止構造に係る薄板の動作説明図である。
【図７】従来の指はさみ防止カバーの構成図である。
【図８】ドアが閉じたときの図７の指はさみ防止カバーの状態図である。
【符号の説明】
【００２０】
１                    固定枠体
２                    扉体
３                    蝶番
４，２０              薄板
Ｇ１，Ｇ２              隙間
Ｓ                    空間
【図１】
2012021344.tif 000003
【図２】
2012021344.tif 000004
【図３】
2012021344.tif 000005
【図４】
2012021344.tif 000006
【図５】
2012021344.tif 000007
【図６】
2012021344.tif 000008
【図７】
2012021344.tif 000009
【図８】
2012021344.tif 000010